(57)【要約】  歯科用Ｘ線センサホルダ（１）およびセンサをホルダ（１）の支持板（２）に取り付けるためのシース（４）。歯科用Ｘ線センサホルダ（１）およびシース（４）は一般に、１つ以上のバネアーム３を有し、かつホルダ（１）のバイトブロック（９）の近位端に隣接して取り付けられたか形成された支持板（２）を有するセンサホルダ（１）を含む。それは、Ｘ線撮影のためにセンサを支持板に固定するように構成されたセンサシースも含む。【選択図】図１
2019527106.tif 000002
【特許請求の範囲】
【請求項１】
Ｘ線撮影のためにセンサを保持するための歯科用Ｘ線イメージング媒体ホルダであって、
近位端、遠位端およびその中に配置されたスロットを有するバイトブロックと、
前記バイトブロックの近位端から延在し、かつ１つ以上のバネアームを有する支持板と
を備え、
前記バネアームは前記支持板から外側に突出するように構成されており、かつ
前記バネアームは内向きの力によって作用された場合に前記突出部の方向に圧力を加える、
歯科用Ｘ線イメージング媒体ホルダ。
【請求項２】
前記ホルダは前記支持板と前記バイトブロックとの間にチャネルをさらに含み、前記チャネルはシースのストラップを受け入れるように使用される、
請求項１に記載の歯科用Ｘ線イメージング媒体ホルダ。
【請求項３】
前記ホルダはそこを通るＸ線の均等かつ妨害されない通過を可能にするためにポリエチレンなどの熱可塑性材料から成形されている、
請求項１に記載の歯科用Ｘ線イメージング媒体ホルダ。
【請求項４】
前記センサは前歯のＸ線撮影のために構成されている、
請求項１に記載の歯科用Ｘ線イメージング媒体ホルダ。
【請求項５】
前記センサは臼歯のＸ線撮影のために構成されている、
請求項１に記載の歯科用Ｘ線イメージング媒体ホルダ。
【請求項６】
前記センサは咬翼法水平Ｘ線撮影のために構成されている、
請求項１に記載の歯科用Ｘ線イメージング媒体ホルダ。
【請求項７】
前記センサは咬翼法垂直Ｘ線撮影のために構成されている、
請求項１に記載の歯科用Ｘ線イメージング媒体ホルダ。
【請求項８】
前記センサは咬翼法歯内Ｘ線撮影のために構成されている、
請求項１に記載の歯科用Ｘ線イメージング媒体ホルダ。
【請求項９】
歯科用Ｘ線センサシースであって、
第１の縁部および第２の縁部を有する、センサを収容するための保護カバーと、
前記第１および第２の縁部において前記保護カバーに取り付けられたストラップと、
を備え、
前記ストラップは、前記ストラップが引張力下にある場合に前記保護カバーを引っ張って前記保護カバーを前記センサの周りに締め付けるように構成されている、
歯科用Ｘ線センサシース。
【請求項１０】
前記ストラップは熱かしめまたは溶接によって前記保護カバーに取り付けられている、
請求項９に記載の歯科用Ｘ線センサシース。
【請求項１１】
前記ストラップは柔軟かつ僅かに弾性である、
請求項９に記載の歯科用Ｘ線センサシース。
【請求項１２】
前記シースは前記センサのための汚れバリアである、
請求項９に記載の歯科用Ｘ線センサシース。
【請求項１３】
前記保護カバーは蛍光体プレートバリアである、
請求項９に記載の歯科用Ｘ線センサシース。
【請求項１４】
歯科用Ｘ線イメージング媒体ホルダおよびシースであって、
近位端および遠位端を有するバイトブロックを有する歯科用Ｘ線イメージング媒体ホルダと、
前記バイトブロックの近位端から延在する支持板と、
保護カバーおよびそこに取り付けられたストラップを含むシースと、
を備え、
前記ストラップは前記シースおよび前記シース内のセンサを前記ホルダの支持板に取り外し可能に取り付けるように構成されており、かつ
前記支持板の１つ以上のバネアームは前記シースのストラップの下を摺動して前記シースを引っ張って前記シースを前記センサの周りに締め付けるように構成されている、
歯科用Ｘ線イメージング媒体ホルダおよびシース。
【請求項１５】
１本以上の歯のＸ線撮影のために歯科用Ｘ線イメージング媒体ホルダを動作させる方法であって、
前記ホルダの１つ以上のバネアームに取り外し可能に係合させるためのストラップを有するシースと共にセンサを準備することと、
前記ホルダの支持板の１つ以上のバネアームを前記ストラップの下に摺動させて前記センサおよびシースを前記ホルダに固定することと、
照準アームを前記センサホルダのバイトブロックのスロットに取り付けて前記照準アームの照準リングを前記センサと位置合わせすることと、
撮影される歯が前記センサと前記照準リングとの間になるように前記ホルダのバイトブロックを口腔内に配置することと、
前記歯のＸ線画像を撮影することと、
を含む、方法。
【発明の詳細な説明】
【技術分野】
【０００１】
本発明は一般にホルダおよびシースに関し、より具体的にはＸ線撮影のために前記シース内のセンサを前記ホルダの支持板に取り外し可能に固定するための歯科用Ｘ線センサホルダおよび対応する歯科用Ｘ線センサシースに関する。
【背景技術】
【０００２】
従来の歯科用Ｘ線撮影は、Ｘ線源を患者の片側に位置決めし、かつＸ線を照射される口腔内の部位を通して口腔内に位置しているＸ線検出器に向かって透過させることにより行うことができる。
【０００３】
米国特許第３，４７３，０２６号は、Ｘ線写真を生成するために歯科用Ｘ線フィルムを口の中に位置決めするための装置を開示している。これは背景目的のために参照により本明細書に組み込まれる。
【０００４】
Ｘ線フィルムの使用と同様の方法で、Ｘ線センサおよび蛍光体イメージングプレートのための保持および位置決め装置が開発されている。
【０００５】
一方向歯科用Ｘ線センサは、画像撮影のために接着剤を用いて位置決めされている。より具体的には、米国特許第６，８１１，３１２号に開示されているように、ホルダを被包されたフィルムまたはセンサに接着させるために接着剤が使用される。
【０００６】
米国特許第７，００４，６２７号は、センサホルダなどの位置決め用付属品に固定するための一体化された接着部分を含むことができるクッションカバーの使用により不快感を減らしながらセンサの汚れを回避するための手段として、センサと共に使用するためのバリアおよび緩衝装置を開示している。
【０００７】
但し、これらのホルダは嵩張る可能性があり、かつ付属の接着剤は複数のＸ線写真が必要な場合にはホルダに塗布するのに時間がかかる場合がある。さらに、いくつかの接着剤は口腔内に使用するのに適していない場合がある。従って、小型で安価かつシンプルであってＸ線検出器を保持するための接着剤の使用をなくすホルダを創出することが望まれている。
【０００８】
複数の種類のＸ線検出器が存在する。歯科用Ｘ線フィルムは、例えば有用な画像を得るために所定かつ確実な方法で標的部位に対して位置決めされる。
【０００９】
ごく最近では、従来のＸ線フィルムはＸ線センサに取って代わられている。そのようなセンサの例が米国特許第６，６５２，１４１号に示されており、Ｘ線センサの背景開示のために参照により本明細書に組み込まれる。
【００１０】
蛍光体イメージングプレートも歯科産業で使用される。イメージングプレートは照射され、そのＸ線ショットがイメージングプレート上に格納されて走査機械などによって後で読み取られ、そのデータがコンピュータなどの格納もしくは表示装置に伝送される。
【００１１】
歯科目的のための歯科用Ｘ線を受けるこれらおよび他の種類の装置は以後まとめて、歯科用Ｘ線イメージング媒体、Ｘ線センサ、センサ、イメージャ、画像媒体などと呼ぶ。そのようなＸ線に対して感度が高い任意のそのような装置は本発明の範囲内である。将来的に、他の種類の歯科用イメージング媒体が同様の技術またはもしかしたら完全に異なる技術を用いて開発されることが想定される。これらの全てが一般に口腔内に適合しなければならず、かつＸ線手順中に所望の位置に確実に保持されなければならないという点で、少なくともいくつかの共通性を有する。
【００１２】
上記考察から、異なる画像媒体ホルダは全てが同様の目的を達成するものであるが、全てが異なる方法で動作することが分かる。しかし、小型で安価かつシンプルであってＸ線検出器を保持するための接着剤の使用をなくす装置を創出する必要性がなお存在する。
【発明の概要】
【００１３】
上記に関連する既存の限界ならびに他の限界は、ストラップを備えたシースを用いてセンサを歯科用Ｘ線センサホルダの支持板に取り外し可能に固定するための方法およびシステムによって克服することができ、ここでは、ストラップはホルダの支持板を受け入れてその上に物理的に作用し、それによりセンサを支持板に対する位置に固定することができる。従って、本発明は、１つ以上のバネアームを有し、かつホルダのバイトブロックの近位端に隣接して取り付けられたか形成された支持板を有するセンサホルダと、Ｘ線撮影のために前記シース内のセンサを前記ホルダの支持板に取り外し可能に固定するように構成されたセンサシースとを備える。
【００１４】
そこで、本発明の特徴のいくつかが、その詳細な説明をより良く理解することができ、かつ当該技術分野に対する現在の貢献をより良く理解することができるように、どちらかと言えば大まかに概説されている。以下に説明する本発明のさらなる特徴が存在する。
【００１５】
この点に関して、本発明の少なくとも１つの実施形態を詳細に説明する前に、本発明はその適用を以下の説明に記載されているか図面に図示されている構成の詳細または構成要素の配置に限定するものではないことを理解されたい。本発明は他の実施形態が可能であり、かつ様々な方法で実施および実行することができる。また当然のことながら、本明細書で用いられている表現法および用語は説明のためのものであり、限定するものとしてみなされるべきではない。
【００１６】
目的は、センサを前記ホルダの支持板に動作可能に取り付けるための歯科用Ｘ線センサホルダおよびシースを提供することにある。シースはセンサのための汚れバリアとしても機能する。
【００１７】
別の目的は、センサをセンサホルダの支持板に取り付けるために従来の接着剤の使用をなくす歯科用Ｘ線センサホルダおよびシースを提供することにある。
【００１８】
別の目的は、シース内のセンサをセンサホルダの支持板に取り付けるための手段を提供するためにシースにはシースに永久的に取り付けられたストラップが備えられている、歯科用Ｘ線センサホルダおよびシースを提供することにある。
【００１９】
別の目的は、ホルダの支持板にバネアームが備えられており、これをシースのストラップの下に摺動させるとストラップがシースを引っ張ってそれをセンサの周りに締め付ける、歯科用Ｘ線センサホルダおよびシースを提供することにある。
【００２０】
別の目的は、シースを異なるサイズのセンサの周りに締め付けるために外側に延在することができるバネアームを有する支持板を有することによって異なるサイズのセンサと共に使用するための歯科用Ｘ線センサホルダおよびシースを提供することにある。
【００２１】
別の目的は、ホルダが前歯のＸ線撮影のために構成されている歯科用Ｘ線センサホルダおよびシースを提供することにある。
【００２２】
別の目的は、ホルダが臼歯のＸ線撮影のために構成されている、歯科用Ｘ線センサホルダおよびシースを提供することにある。
【００２３】
別の目的は、ホルダが咬翼法水平Ｘ線撮影のために構成されている、歯科用Ｘ線センサホルダおよびシースを提供することにある。
【００２４】
別の目的は、ホルダが咬翼法垂直Ｘ線撮影のために構成されている、歯科用Ｘ線センサホルダおよびシースを提供することにある。
【００２５】
別の目的は、ホルダが咬翼法歯内Ｘ線撮影のために構成されている、歯科用Ｘ線センサホルダおよびシースを提供することにある。
【００２６】
本明細書中の様々な実施形態のさらなる特徴および利点ならびに構造および動作については、添付の図面を参照しながら以下に詳細に説明されている。
【００２７】
上記および関連する目的の達成のために、本発明は添付の図面に図示されている形態で具体化することができ、図面は単に例示であって、本出願の範囲内で図示および説明されている特定の構成において変形が可能であることに留意されたい。
【００２８】
本明細書において特許請求および／または説明されている教示を例示的な実施形態に関してさらに説明する。これらの例示的な実施形態について図面を参照しながら詳細に説明する。これらの実施形態は非限定的な例示的な実施形態であり、その中の同様の符号は図面のいくつかの図を通して同様の構造を表す。
【図面の簡単な説明】
【００２９】
【図１】前歯のＸ線撮影のために使用される本発明の好ましい実施形態の斜視図である。
【図２】図１のセンサホルダの背面図を示す。
【図３】図１のセンサホルダの側面図である。
【図４】ストラップがシースの縁部にしっかりと封着された状態のセンサシースの上面図を示す。
【図５】センサが内部に挿入された状態の本発明に係るセンサシースの上面図を示す。
【図６】シースのストラップが本発明のセンサホルダに取り付けられた状態で使用されている図５のセンサ／センサシースの組み合わせの上面図を示す。
【図７】咬翼法垂直Ｘ線撮影のためのホルダを示す、ホルダの他の実施形態の斜視図を示す。
【図８】咬翼法水平Ｘ線撮影のためのホルダを示す、ホルダの他の実施形態の斜視図を示す。
【図９】臼歯のＸ線撮影のための後方ホルダを示す、他の実施形態の斜視図を示す。
【図１０】本発明のセンサシースの他の実施形態に接続された図１のホルダの上側斜視図であり、他の実施形態はセンサホルダの支持板に係合させるためにそれに封着されたストラップを有する蛍光体プレートバリアである。
【図１１】図７のホルダの背面図を示す。
【図１２】支持板の側面に矢印を有するホルダの他の実施形態を示す。
【図１３】本発明の蛍光体プレートバリアの別の実施形態の背面フィルムおよびストラップを示す。
【図１４】前面フィルムに溶接された図１３の背面フィルムを示す。
【図１５】背面フィルムの上部が曲げられた状態の図１３の背面フィルムおよびストラップの上側斜視図を示す。
【図１６】背面フィルム、前面フィルムおよびストラップを示す図１３の蛍光体プレートバリアの実施形態の分解図である。
【発明を実施するための形態】
【００３０】
本明細書に記載されている例示的な態様によれば、Ｘ線画像撮影のためのセンサホルダおよびシースが提供される。次に同様の参照符号がいくつかの図を通して同様の要素を示す記述的図面に焦点を当てると、図は１つ以上のバネアームを有し、かつホルダのバイトブロックの近位端に隣接して取り付けられたか形成された支持板を有するセンサホルダと、Ｘ線撮影のためにセンサを支持板に取り外し可能に固定するように構成されたセンサシースとを示す。
【００３１】
ホルダ１
次に図１のセンサホルダを参照すると、支持板２はバイトブロック９の近位端から延在している。支持板２は支持板２から外側に突出する複数のバネアーム３を有する。取り付けられるセンサ７がＸ線撮影のために照準リング（図示せず）と平行に位置合わせした状態になるのを保証するために、支持板はかなり硬い材料で作られている。バネアームはセンサシース５のストラップ４の下を容易に摺動し、かつシース５を引っ張ってそれを締め付け、次いでそれによりセンサ７を適所に維持するように構成されている。本明細書中の他の実施形態は、使用中にセンサ７の回転を防止するためのセンサ位置決めタブ１１も有していてもよい。これは特に後方歯根尖周囲Ｘ線撮影および咬翼法水平Ｘ線撮影のために有用であり、この場合、センサはその水平位置において支持板に取り付けられる（図８および図１０）。
【００３２】
ホルダのバイトブロック９は、照準リング（図示せず）へのさらなる接続のために照準アーム（図示せず）が好ましくは摩擦嵌合方式でその中に挿入されるスロット１０を有する。バイトブロックおよびホルダは一般に、画像撮影手順の間に患者の口の中で異なる位置決めを可能にするのに適当な多種多様な形状およびサイズであってもよい。当該技術分野で知られているように、Ｘ線センサホルダのバイトブロック９は患者の口腔（図示せず）内に位置決めされ、患者はこのブロックを噛むように指示される。これにより次の歯科用イメージング撮影手順の間に固定されるＸ線センサを位置づける。ホルダの他の実施形態は、シース５のストラップ４が嵌合するチャネル１２（図８）を有してもよい。別の他の実施形態は、ストラップ４の下でのホルダ１の挿入方向を示すために支持板の側面に矢印１３を有していてもよい。
【００３３】
シース５
センサシース５は、シースに封着されたストラップ４を使用してホルダを支持板２に接続するように構成されている。ストラップ４は、短い縁部のみに沿ってそれを熱かしめするか溶接するなどの当該産業において使用されている従来の方法によってシースの片側に取り付けることができる。あるいは、ストラップ４はセンサシース５の周りのループであてもよく、好ましくは、それはホルダ１のバネアーム３によって加えられる力に耐えることができる厚いフィルムストリップで作られている。
【００３４】
Ｘ線センサ７は、シースがホルダに係合されていない場合はシースの中に容易に摺動する。ホルダ１をシース５のストラップ４の下に摺動させると、バネアーム３はストラップ４を引っ張り、次いでそれによりシース５を引っ張ってそれをセンサ７の周りに締め付けてセンサ７を適所に維持する。蛍光体プレートバリアエンベロープ／シース６（図１０に図示されている）などのシースおよびストラップの異なる形状およびサイズは、様々なセンサおよび歯科用Ｘ線撮影位置のために実現することができる。Ｘ線センサのケーブル８により、従来の方法でのセンサデータの受信機への伝送が可能になる。
【００３５】
本発明によれば、シース５は、溶接または熱かしめなどの従来の方法により好ましくはシースの透明フィルムにその縁部においてしっかりと取り付けられた単純で柔軟かつ僅かに弾性のプラスチックバンドと共に構成されたＸ線センサシースであってもよい。ストラップ４は、ホルダの支持板が挿入されてその下にぴったりと嵌合する場合にそれがシース５を引っ張ってそれをセンサの周りに締め付けるように、シース上の位置に取り付けられる。
【００３６】
本発明の他の実施形態
ホルダは、Ｘ線がその中を均等かつ妨害されずに通るのを保証するために、好ましくはポリエチレンなどの熱可塑性材料の単一の部材から成形されている。
【００３７】
図７〜図９はセンサホルダの他の実施形態を示す。図１０は使用時のシースの他の実施形態を示す。
【００３８】
次に図７を参照すると、咬翼法垂直ホルダ１ａの例示が示されている。前記支持板２から外側に突出しているバネアーム３を有する支持板２が細長いバイトブロック９の近位端から隣接して延在している。バイトブロック９は、歯の咬合アーチに沿って静置して放射線撮影されるように、中央領域において支持板２に接合されている。照準リング（図示せず）への接続のための従来の照準アーム（図示せず）のためのスロットはバイトブロック９の第１の端部に位置している。本発明のシース５のストラップ４を受け入れるためのチャネル１２（図１１に図示されている）はバイトブロック９の第２の端部に位置している。
【００３９】
図８は、支持板２および細長いバイトブロック９を有する咬翼法水平ホルダ１ｂを示す。また、センサ位置合わせタブ１１は、Ｘ線撮影中に取り付けられるセンサを正確に位置決めして不正確な位置合わせにより生じる歪みおよび不適切な焦点を最小限に抑えるように支持板から延在していてもよい。チャネル１２は本発明のセンサシース５のストラップ４を受け入れるために設けられている。
【００４０】
図９は、支持板２、バネアーム３およびバイトブロック９を備える、口腔の後方領域にある歯を撮影するための後方ホルダ１ｃを示す。他の実施形態のように、ホルダには本発明のシース５のストラップ４を受け入れるためのチャネル１２が備えられている。センサ位置合わせタブ１１により、撮影のためにセンサを適当な位置に配置することができる。
【００４１】
図１０は使用時のシースの他の実施形態を示す。ストラップは好ましくは従来の手段を用いて蛍光体プレートバリア／シース６に永久的に取り付けられている。ストラップは同様に好ましくは、蛍光体プレートバリアにしっかりと溶接されているか熱かしめされている単純で柔軟かつ僅かに弾性のプラスチックバンドである。蛍光体プレートバリアの別の他の実施形態では、図１３〜図１６に示すように、バリアは前面フィルム１５および背面フィルム１４を有し、ここでは、前面フィルム１５は背面フィルム１４に側面および底縁に沿って同様に溶接されているか取り付けられており、その間に蛍光体プレート（図示せず）が挿入される。前面フィルム１５の上縁１６は背面フィルム１４に溶接されておらず、蛍光体プレートの挿入のための入口を提供する。背面フィルム１４はストラップ４の短い縁部に沿ってそれに溶接されたストラップ４を有する。蛍光体プレートが挿入されると、背面フィルム１４は曲げられ１７、前面フィルム１５上の保護ライナ１８が除去されて接着コーティング（図示せず）を露出させた後に前面フィルム１５に封着される。これによりバリアのストラップ４が締め付けられ、ホルダ１が挿入される準備が整った状態になる。
【００４２】
上記実施形態の要素は、限定されるものではないが歯内ホルダなどの他の従来のホルダまで拡張させることができ、かつ本発明の趣旨および範囲から逸脱することなく当該実施形態の多くの変形が可能であることが当業者によって理解されるであろう。
【００４３】
好ましい実施形態の動作
図１に示されている好ましい実施形態の動作では、センサ７を本発明のシースの中に容易に摺動させる。次いで、ホルダ１の支持板２をシース５のストラップ４の下に摺動させる。次いで、支持板のバネアーム３はストラップ４を引っ張り、それによりシース５を締め付けてセンサを適所に維持する。バイトブロック９のスロット１０には照準アーム（図示せず）が取り付けられ、次いでこれには照準リング（図示せず）が取り付けられる。その後、センサが適当に、例えば検査される１本または複数本の歯の隣接歯間領域に垂直に位置決めされるように、ブロックの上で上顎骨および下顎骨の歯の口腔内表面を食いしばることによって、バイトブロックを口腔内に位置決めする。次いで、歯科専門家は画像撮影のために照準リングおよびＸ線装置を位置合わせすることができる。
【００４４】
本明細書において説明および図示されているものは、その変形のいくつかと共に本発明の好ましい実施形態である。本明細書で使用される用語、説明および図は単に例として示されており、限定するものではない。当業者であれば、本発明の趣旨および範囲内で多くの変形が可能であり、特に明記しない限り全ての用語はそれらの最も広い合理的な意味で解釈されることを認識しているであろう。説明の中で使用されている任意の見出しは単に便宜のためのものであり、法的または限定的効果を全く及ぼさない。
【００４５】
要素の索引
１：    前方ホルダ
１ａ：  咬翼法垂直ホルダ
１ｂ：  咬翼法水平ホルダ
１ｃ：  後方ホルダ
２：    支持板
３：    バネアーム
４：    ストラップ
５：    シース
６：    蛍光体プレートバリアエンベロープ
７：    センサ
８：    センサケーブル
９：    バイトブロック
１０：  スロット／開口部
１１：  センサ位置合わせタブ
１２：  チャネル
１３：  矢印
１４：  背面フィルム
１５：  前面フィルム
１６：  上縁
１７：  曲げ
１８：  保護ライナ
【図１】
2019527106.tif 000003
【図２】
2019527106.tif 000004
【図３】
2019527106.tif 000005
【図４】
2019527106.tif 000006
【図５】
2019527106.tif 000007
【図６】
2019527106.tif 000008
【図７】
2019527106.tif 000009
【図８】
2019527106.tif 000010
【図９】
2019527106.tif 000011
【図１０】
2019527106.tif 000012
【図１１】
2019527106.tif 000013
【図１２】
2019527106.tif 000014
【図１３】
2019527106.tif 000015
【図１４】
2019527106.tif 000016
【図１５】
2019527106.tif 000017
【図１６】
2019527106.tif 000018
【国際調査報告】
2019527106.tif 000019
2019527106.tif 000020
2019527106.tif 000021